(57)【要約】【課題】  トローリング等の魚釣時において、その魚釣の態勢に応じて電動モータのＯＮ、ＯＦＦ操作や速度制御等が迅速且つ正確に行うことができる電動リールを提供する。【解決手段】  電動リール本体１を装着した釣竿Ａの元竿A1における任意の部分に、電動リール本体１における電動モータ４のＯＮ、ＯＦＦの操作ボタン６と速度可変用操作ボタン７とを有するコントローラ２を着脱自在に取付けて釣竿Ａを把持している手を持ち替えることなく、ヒットした魚の引き状態に応じて指先でコントローラ２の上記操作ボタン６、７を手元操作して釣糸やスプールに無理な引張力を作用させることなく魚釣りを行える構成している。【選択図】    図１
2006333777.tif 000002
【特許請求の範囲】
【請求項１】
釣竿の元竿に着脱自在に装着される電動リール本体と、この電動リール本体を操作する操作ボタンを備えたコントローラとからなる電動リールであって、コントローラに上記元竿の任意の位置に着脱自在に装着可能な取付部材と、電動リール本体の電動モータに接続する接続コードとを備えていることを特徴とする魚釣用電動リール。
【請求項２】
コントローラに電動モータのＯＮ、ＯＦＦの操作ボタンと、電動モータの速度可変用操作ボタンとを設けていることを特徴とする請求項１に記載の魚釣用電動リール。
【請求項３】
取付部材は、コントローラのケース体の外底面両側部に下方に向かって突設した螺子棒と、これらの螺子棒に両側通孔を挿通させている挟着片と、螺子棒に取り外し可能に螺合したナット体とからなり、このナット体の螺進によって挟着片と上記ケース体の外底面間で元竿の任意の部分を挟着させるように構成していることを特徴とする請求項１又は請求項２に記載の魚釣用電動リール。
【請求項４】
電動リール本体におけるスプールを回転自在に支持している両側板の外周部に、スプールと並行に電動モータを装着した支持フレームを取り付けていると共に、該電動モータにＯＮ、ＯＦＦスイッチ操作ボタンと、バッテリーからの給電コード及びコントローラの接続コードを接続させる接続端子を設けてあり、さらに、上記スプールの回転操作用ハンドル軸に第１ワンウエイクラッチと第２ワンウエイクラッチとを装着して第１ワンウエイクラッチにハンドルを連結すると共に第２ワンウエイクラッチに上記電動モータの回転力を伝達してハンドル軸を回転させるように構成していることを特徴とする請求項１又は請求項２に記載の魚釣用電動リール。
【発明の詳細な説明】
【技術分野】
【０００１】
本発明は、操作性に優れた魚釣用電動リールの改良に関する。
【背景技術】
【０００２】
従来から、釣竿に装着されている電動リールを魚釣時に操作するための操作ボタンとしては、例えば、特許文献１に記載されているように、電動リール本体に直接、配設されている構造のものが広く知られている。具体的には、電動リール本体の両側板の外周部間に電動モータのＯＮ、ＯＦＦスイッチの操作ボタンやその他の制御スイッチ操作ボタンを備えた操作部を一体に組み込んでいる。そして、この特許文献１に記載されている電動リールにおいては、電動リール本体の両側板間に回転自在に配設されたスプール内に該スプールの回転駆動用電動モータを設け、この電動モータにバッテリーからの給電コードと接続するリード線や上記操作ボタンのスイッチに接続したリード線を接続して操作ボタンの操作により電動モータを作動させるように構成している。
【特許文献１】実開平５−３４８６８号公報
【発明の開示】
【発明が解決しようとする課題】
【０００３】
しかしながら、上記のように、操作ボタンを電動リール本体に設けておくと、例えば、トローリング時等において、元竿の基端部をフィッシングベルト等に挿し込んだ状態で両手で元竿の先端部を把持しながら魚を釣り上げている時には、操作ボタンを操作することが困難となり、電動モータに対する通電を切ることなく巻き取り方向に回し放し状態のまま使用することになってドラグ機構に大きな負担がかかり、短期間で摩損してしまう虞れがあった。さらに、操作ボタンは電動リール本体の所定位置にその位置を変更不能に配設されているため、ポンピング操作しながら魚釣りを行う際や、元竿の基端部を片手で把持したり元竿を脇に挟んで電動リール本体のハンドル操作等を行いながら魚釣をする際には、ボタン操作を軽快に行うことが困難な状態となる場合があった。
【０００４】
その上、電動モータがスプールの内部に配設されている場合には、スプール径が大径となって巻層される釣糸の巻き容量が少なくなるばかりでなく、電動モータの保守、点検が困難となり、さらに、電動モータに対する上記操作ボタンのスイッチや給電コードのリード線を介しての接続構造が複雑化して製品もコスト高になるといった問題点があった。
【０００５】
本発明はこのような問題点に鑑みてなされたもので、その目的とするところは、どのような魚釣りの態勢においても、その態勢に応じて迅速且つ軽快に操作ボタンを操作しながら魚釣りを行うことができる魚釣用電動リールを提供するにある。また、本発明の他の目的は、電動モータに対する操作ボタンのスイッチや給電コードの接続構造を簡素化することができる魚釣用電動リールを提供するにある。
【課題を解決するための手段】
【０００６】
上記目的を達成するために本発明の魚釣用電動リールは、請求項１に記載したように、釣竿の元竿に着脱自在に装着される電動リール本体と、この電動リール本体を操作する操作ボタンを備えたコントローラとからなる電動リールであって、このコントローラに上記元竿の任意の位置に着脱自在に装着する取付部材と、電動リール本体の電動モータに接続する接続コードとを備えていることを特徴とする。
【０００７】
このように構成した魚釣用電動リールにおいて、請求項２に係る発明は、コントローラに電動モータのＯＮ、ＯＦＦの操作ボタンと、電動モータの速度可変用操作ボタンとを設けていることを特徴とする。
【０００８】
さらに、請求項３に係る発明は、上記コントローラの取付部材を、コントローラのケース体の外底面両側部に下方に向かって突設した螺子棒と、これらの螺子棒に両側通孔を挿通させている挟着片と、螺子棒に取り外し可能に螺合したナット体とからなり、このナット体の螺進によって挟着片と上記ケース体の外底面間で元竿の任意の部分を挟着させるように構成している。
【０００９】
また、請求項４に係る発明は、電動リール本体におけるスプールを回転自在に支持している両側板の外周部に、スプールと並行に電動モータを装着した支持フレームを取り付けていると共に、該電動モータにＯＮ、ＯＦＦスイッチ操作ボタンと、バッテリーからの給電コード及びコントローラの接続コードを接続させる接続端子を設けてあり、さらに、上記スプールの回転操作用ハンドル軸に第１ワンウエイクラッチと第２ワンウエイクラッチとを装着して第１ワンウエイクラッチにハンドルを連結すると共に第２ワンウエイクラッチに上記電動モータの回転力を伝達してハンドル軸を回転させるように構成している。
【発明の効果】
【００１０】
請求項１に係る発明によれば、釣竿の元竿に着脱自在に装着される電動リール本体と、この電動リール本体を操作する操作ボタンを備えたコントローラとからなる電動リールであって、コントローラに上記元竿の任意の位置に着脱自在に装着可能な取付部材と、電動リール本体の電動モータに接続する接続コードとを備えているので、不使用時にはコントローラを釣竿と別体にして簡易に保管しておくことができるのは勿論、使用時には釣時の態勢に応じて操作ボタンの操作が手元で迅速に且つ正確に行うことができる元竿の位置にコントローラを取り付けることができる。
【００１１】
例えば、元竿の基端部をフィッシングベルト等に挿し込んだ状態で両手で元竿の先端部を把持しながら魚を釣り上げるトローリング時においては、元竿に装着している電動リール本体から前方の元竿先端部側にコントローらを取付部材によって取り付けておけば、このコントローラの後方近傍部の元竿部分を両手で把持しながら、親指でコントローラの操作ボタンをワンタッチで簡単に手元で操作することができ、釣糸の引張り状態に応じた操作ボタンの操作が迅速且つ正確に行うことができてドラグ機構に大きな負荷がかかるのを防止することができる。また、釣竿をポンピング操作しながら魚釣りを行う際においても、そのポンピング操作に同調して釣糸に無理な荷重がかからないようにボタン操作を円滑に行うことができる。
【００１２】
さらに、元竿の基端部を片手で把持したり、元竿を脇に挟んで電動リール本体のハンドル操作等を行いながら魚釣を行う際においては、コントローラをボタン操作が容易に行えることができる元竿部分に取り付けておくことによって、釣竿を把持していない片手でボタン操作をしながら、魚釣を軽快に行うことができる。また、船縁等に元竿を支持させた魚釣状態においては、該元竿の基端部にコントローラを装着しておくことにより、操作ボタンを円滑に操作することができる。その上、電動リール本体のハンドルを持ち替えることなく電動巻き上げや手巻き操作等が容易に行うことができる。
【００１３】
コントローラに設けている操作ボタンとして、請求項２に記載したように、電動リール本体における電動モータのＯＮ、ＯＦＦ用操作ボタンと、電動モータの速度可変用操作ボタンとを設けておくことにより、釣竿を下げる時にＯＮして釣糸を巻き取り、上げる時にＯＦＦして釣糸を引き出す操作を軽快に行いながらドラグ機構に無理な負荷を掛けることなく魚を釣り上げることができ、また、速度可変用操作ボタンによって魚に応じた釣糸の巻き取り速度を設定することができ、上記ＯＮ、ＯＦＦ用操作ボタンの操作や釣竿の操作、電動リール本体のハンドル操作等と共に、種々のパターンの魚釣り態様を行うことができる。
【００１４】
釣竿の元竿に対する上記コントローラの取付部材として請求項３に記載したように、コントローラのケース体の外底面両側部に下方に向かって突設した螺子棒と、これらの螺子棒に両側通孔を挿通させている挟着片と、螺子棒に取り外し可能に螺合したナット体とから構成しているので、挟着片を取り外した状態でケース体の外底面を元竿の任意の部分に当てがった状態にして挟着片の両側通孔に螺子棒を挿通させ、しかるのち、螺子棒にナット体を螺合させることによって、元竿の径の大小に関係なく、該元竿の所望部分にコントローラを強固に取付けることができ、また、コントローラの取付位置を変更したい場合等においては、元竿からのコントローラの取り外しも簡単に行うことができる。なお、このようにコントローラを元竿の任意の部分に取付ける取付部材としては、上記構成以外に、例えば、コントローラのケース体の両側端部と上記挟着片の両側端部とのいずれか一方に係止孔を、他方にこの係止孔に係脱自在に係合する係止突起を設けた構造等を採用することができる。
【００１５】
さらにまた、請求項４に係る発明によれば、電動リール本体におけるスプールを回転自在に支持している両側板の外周部に、スプールと並行に電動モータを装着した支持フレームを取り付けているので、電動モータは電動リール本体に対して外付け状態で装着されているから、電動モータの保守、点検や交換が容易に行え、また、スプールとして糸巻き容量の多い小径のスプールを採用することができるのは勿論、該電動モータにＯＮ、ＯＦＦスイッチ操作ボタンと、バッテリーからの給電コード及びコントローラの接続コードを接続させる接続端子を設けているので、この接続端子と電動モータ間のリード線等の配線構造を簡素化することができると共に、電動モータに対する給電コードやコントローラの接続コードの接続が直接的に行えてその接続構造の簡素化も図ることができる。
【００１６】
その上、上記スプールの回転操作用ハンドル軸に第１ワンウエイクラッチと第２ワンウエイクラッチとを装着して第１ワンウエイクラッチにハンドルを連結すると共に第２ワンウエイクラッチに上記電動モータの回転力を伝達してハンドル軸を回転させるように構成しているので、電動モータによる巻き取り時においても手巻きによる場合においても１本のハンドル軸を介してスプールを巻き取り方向に回転させる機構を共用することができ、従って、電動リール全体が簡素化されて保守点検が容易となると共に故障の発生が少なくなり、また、製品も安価に提供することができる。
【００１７】
また、電動モータの駆動による釣糸の巻き取りとハンドルの回転操作による釣糸の巻き取りとを上記共用の動力伝達機構を介して別々に行えると共に、電動モータを駆動しながらハンドルを回転操作することによって、電動モータによる巻取力を手巻きによる巻取力で補助することができる。
【発明を実施するための最良の形態】
【００１８】
本発明の具体的な実施の形態を図面について説明すると、図１において、電動リールは電動リール本体１と、コントローラ２と、このコントローラ２を釣竿Ａにおける元竿A1の任意の部分に着脱自在に装着する取付部材３と、コントローラ２を電動リール本体１の電動モータ４に接続する接続コード５とから構成されている。
【００１９】
上記電動リール本体１は、上記図１及び図３に示すように、外周部の数カ所間を連結フレーム1cによって一体に連結した円板形状の両側板1a、1bの対向面間にスプール10を回転自在に支持していると共に、上記一方の側板1aの外周部にはハンドル軸11が該側板1aの内外面間に亘って貫通した状態で回転自在に支持されてあり、このハンドル軸11をハンドル12および上記電動モータ４によって回転駆動可能に構成している。
【００２０】
電動モータ４は電動リール本体１の両側板1a、1bの前部にその後端部をボルトによって取り外し自在に取付けられた両側支持フレーム1d、1dの前端部間に介在していて、この電動モータ４の両端面を両側支持フレーム1d、1dにボルトによって着脱自在に装着され、スプール10の前方に該スプール10と並行に配設されている。
【００２１】
コントローラ２は、内部に制御回路20（図４に示す）を設けている中空のケース体2aの上面両側部に上記電動モータ４の作動をＯＮ、ＯＦＦする操作ボタン６と電動モータ４の回転速度を調整する速度可変用操作ボタン７をそれぞれ配設している。なお、電動モータ４のＯＮ、ＯＦＦ用操作ボタン６はケース体2aの一側部に上下動可能に支持されていて常態においてはスプリング（図示せず）によって上方に付勢されてケース体2aの一側部上面から突出している一方、速度可変用操作ボタン７はケース体2aの他側部上に回動自在に支持された摘まみからなり、この操作ボタン７の回動操作によって電動モータ４の回転速度を変化させるように構成している。
【００２２】
ケース体2a内に設けている制御回路20には、上記ＯＮ、ＯＦＦ用操作ボタン６を押すことによって該操作ボタンと接触して電動モータ４の作動（電源）をＯＮ、ＯＦＦするスイッチ回路部21と、上記速度可変用操作ボタン７の回動量に応じて抵抗値を変化させて速度調整を行う可変抵抗を備えた回路部22とを有しており、この制御回路20にケース体2aから引き出している一定長さを有する上記接続コード５の一端を接続し、この接続コード５の他端にコネクタ5aを接続している。
【００２３】
電動モータ４には図１に示すように、コントローラ２の上記接続コード５のコネクタ5aを接続させる接続端子13と、給電コード８の一端に接続しているコネクター8aを接続させる接続端子14とを設けていると共に、この接続端子14と接続コード５の接続端子13とをリード線によって接続してバッテリ電源を制御回路20を介して電動モータ４に接続し、電動モータ４の作動をコントローラ２によって制御するように構成している。なお、給電コード８には制御リレー回路部９を設けていると共にその他端にバッテリ電源に着脱自在に接続させる鰐口クリップ（図示せず）を設けている。また、電動モータ４には電源を直接、ＯＮ、ＯＦＦに切り替えるスイッチの操作ボタン15を設けている。
【００２４】
上記コントローラ２を釣竿Ａにおける元竿A1の任意の部分に着脱自在に装着する取付部材３としては、図２に示すように、このコントローラ２のケース体2aの外底面（下面）両側部に下方に向かって突設している螺子棒3a、3aと、これらの螺子棒3a、3aに両側部に設けている通孔3b、3bを抜き取り可能に挿通させる挟着片3cと、螺子棒3a、3aに取り外し可能に螺合したナット体3d、3dとからなり、ケース体2aと挟着片3cとの対向面間に上記元竿A1を挿通させた状態にし、ナット体3d、3dを螺締することによってケース体2aと挟着片3cとで元竿A1の任意の部分を挟着し、コントローラ２を固定させるように構成している。なお、ケース体2aと挟着片3cとの対向面には、断面Ｖ字状または凹円弧状の挟持溝3e、3fが元竿A1の長さ方向に向けている前後面間に設けられていて、外径が異なる元竿A1に対しても確実且つ強固に装着、固定できるように形成している。
【００２５】
なお、このようなコントローラ２の取付部材としては、上記構成以外に、例えば、コントローラ２のケース体2aの両側端部と上記挟着片3cの両側端部とのいずれか一方に係止孔を、他方にこの係止孔に係脱自在に係合する係止突起を設けた構造や、コントローラ２の一側端部に上記挟着片3cの一側端部を回動自在に取付けておき、この挟着片3cの他側端部をコントローラ２の他側端部にボルト・ナットや係脱手段等によって着脱自在に連結する構造等、その他の取付手段を採用してもよい。
【００２６】
上記電動リール本体１は図３に示すように、両側板1a、1bの対向面中心部間に回転自在に支持されたスプール軸10a にスプール10の中心を回転自在に支持させていると共に、上記ハンドル軸11における一側板1aから外方に突出した突出部分にはスプール軸10a に巻き取り方向にのみ回転力を伝達する第１ワンウエイクラッチ16と第２ワンウエイクラッチ17とを、第１ワンウエイクラッチ16を外側、即ち、突出端側にして装着している。そして、この第１ワンウエイクラッチ16の外周面に上記巻き取り用ハンドル12の基端部を一体に固着している一方、上記電動モータ４を回転力伝達機構18を介して上記第２ワンウエンクラッチ17に回転力を伝達するように構成している。
【００２７】
この回転力伝達機構18としては、噛合歯車機構を採用してもよいが、図においては、電動モータ４の回転軸と上記第２ワンウエイクラッチ17の外周面とにタイミングベルトプーリを固着してこれらのタイミングベルトプーリ間にタイミングベルトを無端状に掛け渡してなる回転力伝達機構を採用している。なお、上記第１、第２ワンウエイクラッチ16、17としては、ラチエット機構からなるクラッチであっても、ローラクラッチであってもよいが、図５に示すように、例えば、第１ワンウエイクラッチ16においては、外輪16a の内周面に内外保持器16b 、16c を配設し、これらの内外保持器16b 、16c に周方向に小間隔毎に設けている各内外保持窓16d 、16e 間に断面繭形状のスプラグ16f を揺動自在に挿通、支持させてなる一方向ベアリングを採用している。
【００２８】
この一方向ベアリングの上記スプラグ16f は、ハンドル軸11の外周面と外輪16a にそれぞれ接する内外面を円弧状のカム面に形成して該スプラグ16f がその中心周りに一方向に回動した時に高さが高くなってハンドル軸11及び外輪16a に食い込む方向に作用することにより逆転防止機能を奏し、他方向の回動した時に高さが低くなってハンドル軸11を介して外輪16a が空転可能となる構造を有している。即ち、ハンドル軸11に対して外輪16a を上記スプラグ16f が食い込む方向に回転力を付与すると、その回転力がスプラグ16f を介してハンドル軸11に伝達されて該ハンドル軸11がハンドル12の基端を一体に固着させている外輪16a と一体的に回転するようになり、外輪16a を上記とは逆方向に回転させると、スプラグ16f によってその回転力がハンドル軸11に伝達するのを阻止され、ハンドル軸11に対して外輪16a 、即ち、ハンドル12が空回りを行うものである。第２ワンウエイクラッチ17も、第１ワンウエイクラッチ16と同一構造を有しているので、同一部分には同一符号を付してその説明を省略する。
【００２９】
ハンドル軸11の一方向の回転力を上記スプール10に伝達する動力伝達機構としては、周知の機構を採用することができ、例えば、電動リール本体１の一側板1aの内側面から内方に突出しているハンドル軸11の内側端部とスプール軸10a の一側端部とを互いに噛合した歯車機構を介して連結してハンドル軸11の一方向の回転によってスプール軸10a を該ハンドル軸11とは逆方向である釣糸巻取り方向に回転させるように構成していると共に、スプール軸10a の他側端部側にドラグ機構19を配設してなるものである。
【００３０】
このドラグ機構19においても、周知の機構を採用することができ、図３においてはスプール軸10a の他側端部に固着した制動円板19a とスプール10の他側端面との間に数枚の摩擦板19b を介在させていると共に電動リール本体１の一側板1aの中心部に回動短軸19c を進退自在に螺合させて一側板1aから突出している該回動短軸19c の突出端部にドラグ力調整レバー19d （図６に示す）を固着し、このドラグ力調整レバー19d を一方向又は他方向に回動操作することによって回動短軸19c をスプール軸10a の長さ方向に進退させ、この回動短軸19c の一側端部を一体に連結している上記スプール軸10a を上記回動短軸19c の進退量だけ長さ方向に移動させることにより、上記制動円板19a とスプール10の他側面とで上記摩擦板19b の挟着によるスプール軸10a からのスプール10への回転力伝達と、挟着解除による回転力の伝達遮断、及び、摩擦板19b の摩擦力の大小による釣糸引張力に対する制動力の調整を行うように構成している。なお、リール本体１にはハンドル軸４の回転によりスプール３の長さ方向に往復動するトラバース機構が設けられているが、その図示並びに説明については省略する。
【００３１】
このように構成したので、トローリング時等のように、元竿A1の基端部をフイッシングベルトに支持させると共に両手で該元竿A1の先端部を把持しながら魚釣りを行う際には、図６に示すように、元竿A1に装着している電動リール本体１の前方側における元竿A1の先端部、即ち、元竿A1を把持する手の前側近傍部にコントローラ２を装着する。元竿A1に該コントローラ２を装着するには、コントローラ２のケース体2aから挟着片3cを取り外しておき、まず、ケース体2aの外底面に設けている挟持溝3eを元竿A1の先端部上周面の取付け位置に跨ぐように当てがった状態にし、該ケース体2aの外底面両側部に突設している螺子棒3a、3aに挟着片3cの両側通孔3b、3bを挿通させてこの挟着片3cの挟持溝3fを元竿A1の先端部下周面に当接させる。この状態にして螺子棒3a、3aにナット体3d、3dを螺合させる。そうすると、ケース体2aと挟着片3cとの挟持溝3e、3fとで元竿A1の先端部を強固に挟着した状態でコントローラ２を元竿A1に固定することができる。
【００３２】
次いで、このコントローラ２の接続コード５のコネクター5aと、給電コード８のコネクター8aとを電動モータ４に設けている接続端子13、14にそれぞれ接続し、この状態にして釣を行う。魚釣時には、まず、ドラグ機構19のドラグ力調整レバー19d を制動円板19a とスプール10の他側面とによる上記摩擦板19b の挟着を解く方向に回動させてスプール10がスプール軸10a 回りに自由に回転できるようにし、スプール10に巻層している釣糸を繰り出す。しかるのち、ドラグ力調整レバー19d を上記とは逆方向に回動操作してドラグ力を魚の大きさや種類等に応じて調整する。
【００３３】
魚がヒットして釣竿Ａを上下動させながら釣り上げる際に、元竿A1を両手で把持した状態で釣竿Ａを下げる時には、コントローラ２の直後の元竿A1部分を把持している手の親指で図７示すようにＯＮ、ＯＦＦ操作ボタン６を押してスイッチ回路部21をＯＮすることにより、電源を電動モータ４に通電して該電動モータ４を作動させてスプール10をその下動に応じて巻き取り方向に回転させ、釣竿Ａを上げる時には再び該ＯＮ、ＯＦＦ操作ボタン６を押すことによりスイッチ回路部21をＯＦＦして電源からの電動モータ４への通電を遮断し、釣糸に無理な引張荷重を発生させることなく、且つ、ドラグ機構19に過度の摩擦を生じさせることなく、円滑に巻き取りを行いながら釣り上げる。さらに、釣糸の巻き取り速度は、同じく指先で速度可変用操作ボタン７を回動調整することによって行うことができる。
【００３４】
また、元竿A1の基端部を片手で把持したり、或いは、図８に示すように船縁等に元竿A1を支持させた魚釣状態等においては、電動リール本体１から後方側の元竿A1の中央部又は基部に上記コントローラ２を取付けておき、元竿A1の基端部を把持している手の指先で図９に示すように、ＯＮ、ＯＦＦ操作ボタン６や速度可変用操作ボタン７を操作しながら釣竿Ａの撓みに応じて電動モータ４の作動や速度調整を行うことにより、魚釣を軽快に行うことができる。
【００３５】
さらにまた、図10に示すように、コントローラ２の操作ボタン６、７を操作することなく、電動モータ４に直接設けているＯＮ、ＯＦＦ操作ボタン15を操作しながら魚釣を行うこともできる。電動モータ４が回転すると、その回転力がタイミングベルトプーリとタイミングベルトからなる回転力伝達機構18を介して第２ワンウエイクラッチ17をハンドル軸11の外周面に係止させて該ハンドル軸11に伝達され、さらに、噛合歯車機構等からなる動力伝達機構からスプール軸10a 、ドラグ機構19を介してスプール10に伝達され、スプール10を巻き取り方向に回転させて仕掛けに食いついた魚を釣り上げることができる。
【００３６】
また、電動モータ４を駆動しながらハンドル12を手動によって回転操作することにより、第１、第２ワンウエイクラッチ16、17を介してハンドル軸４に強力な回転トルクを付与することができ、電動モータ４によるスプール10の巻取力を補助することができる。
【００３７】
魚釣りが終わると、電動モータ４に設けている接続端子13、14から接続コード５と給電コード８のコネクター5a、8aを抜き取ると共に、コントローラ２の取付部材３のナット体3d、3dを螺子棒3a、3aから離脱させ、挟着片3cを取り外すことによってコントローラ２を元竿A1から分離させ、次の魚釣時に使用する。
【図面の簡単な説明】
【００３８】
【図１】電動リールを手前側からみた簡略斜視図。
【図２】コントローラの取付部材の分解斜視図。
【図３】電動リール本体の簡略横断面図。
【図４】電動モータの制御回路の簡略図。
【図５】ワンウエイクラッチの一部の簡略縦断面図。
【図６】使用状態を示す簡略斜視図。
【図７】操作ボタンを操作している状態の平面図。
【図８】別な使用状態を示す簡略斜視図。
【図９】操作ボタンを草加している状態の要部の斜視図。
【図１０】さらに別な操作状態を示す斜視図。
【符号の説明】
【００３９】
１  電動リール本体
２  コントローラ
３  取付部材
４  電動モータ
５  接続コード
６  ＯＮ、ＯＦＦ用操作ボタン
７  速度可変用操作ボタン
８  給電コード
９  電動モータ
10  スプール
Ａ  釣竿
A1  元竿
【図１】
2006333777.tif 000003
【図２】
2006333777.tif 000004
【図３】
2006333777.tif 000005
【図４】
2006333777.tif 000006
【図５】
2006333777.tif 000007
【図６】
2006333777.tif 000008
【図７】
2006333777.tif 000009
【図８】
2006333777.tif 000010
【図９】
2006333777.tif 000011
【図１０】
2006333777.tif 000012